(57)【要約】【課題】刃をハンドル内に容易に折り畳むことができ、刃をしっかりと保持することができるとともにその交換が容易であり、使用が簡単で製造と保守に高い費用を必要としない、折り畳み可能な万能ナイフを提供する。【解決手段】万能ナイフ１は、ハンドル２と、ハンドルに旋回可能に取り付けられ、展開状態から折り畳み状態に移動できる刃ホルダ３を有する。ハンドルは、刃ホルダがその折り畳み状態にあるとき、刃ホルダを収容することができる空間部を有する。刃ホルダは、主壁３４と、主壁に旋回可能に取り付けられ、開位置から主壁の上を覆う閉位置に旋回するガード壁３５とを含む。主壁は、ガード壁がその閉位置にあるときに、刃が主壁とガード壁の間に介在するように、刃を保持することができる。【選択図】図１
2004337610.tif 000002
【特許請求の範囲】
【請求項１】
ハンドルと刃ホルダを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは主壁と、開位置から上記主壁を覆う閉位置に旋回可能に上記主壁に取り付けられたガード壁を有し、上記主壁は、上記ガード壁が閉位置にあるときに、刃が上記主壁と上記ガード壁の間に介在するように上記刃を保持するための手段を有することを特徴とする万能ナイフ。
【請求項２】
上記刃ホルダは、後端部と前端部を有し、上記前端部は、上記ガード壁と上記主壁からなり、上記後端部は、上記ハンドルに旋回可能に取り付けられ、上縁部と下縁部とを有する請求項１に記載の万能ナイフ。
【請求項３】
上記ガード壁は、上記後端部の上記下縁部に隣接したピボット軸を支点として旋回可能に、上記主壁に取り付けられた請求項２に記載の万能ナイフ。
【請求項４】
上記主壁と上記ガード壁に対して、開位置から上記主壁と上記ガード壁にかぶさる閉位置に旋回移動する、刃ロックアセンブリを設けた請求項３に記載の万能ナイフ。
【請求項５】
上記刃ロックアセンブリは、上記上縁部に隣接して上記後端部に旋回可能に取り付けられた請求項４に記載の万能ナイフ。
【請求項６】
上記刃ロックアセンブリは、上壁と一対の側壁を有するＵ字形クリップからなり、上記クリップがその閉位置にあるとき上記側壁は上記主壁と上記ガード壁をはさむように構成された請求項５に記載の万能ナイフ。
【請求項７】
上記クリップは、そこから延在する前方フィンガを有する請求項６に記載の万能ナイフ。
【請求項８】
上記後端部は、そこから延在するフィンガーノブを有する請求項７に記載の万能ナイフ。
【請求項９】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有する請求項８に記載の万能ナイフ。
【請求項１０】
上記刃ホルダの上記後端部は、上記刃ホルダが展開状態にあるとき、上記ロックフィンガーを収容することができる溝を有する請求項９に記載の万能ナイフ。
【請求項１１】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項１０に記載の万能ナイフ。
【請求項１２】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項１１に記載の万能ナイフ。
【請求項１３】
上記刃保持手段は、上記刃ホルダの上記主壁上に設けた一対の突起を有し、上記突起は刃に設けられた対応する溝にそれぞれ入り込むことができるようにされた請求項１２に記載の万能ナイフ。
【請求項１４】
上記ガード壁がその閉位置にあるとき、上記主壁上の定位置に上記ガード壁を保持するためのネジ手段を設けた請求項３に記載の万能ナイフ。
【請求項１５】
上記ネジ手段は上記ガード壁から上記主壁に延在する請求項１４に記載の万能ナイフ。
【請求項１６】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有する請求項１４に記載の万能ナイフ。
【請求項１７】
上記刃ホルダの上記後端部は、上記刃ホルダが展開状態にあるとき、上記ロックフィンガーを収容することができる溝を有する請求項１６に記載の万能ナイフ。
【請求項１８】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項１７に記載の万能ナイフ。
【請求項１９】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項１８に記載の万能ナイフ。
【請求項２０】
上記刃保持手段は、上記刃ホルダの上記主壁上に設けた一対の突起を有し、上記突起は刃に設けられた対応する溝にそれぞれ入り込むことができるようにされた請求項１９に記載の万能ナイフ。
【請求項２１】
ハンドルと刃ホルダを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは主壁と、上記主壁に取り付けられ開位置から上記主壁を覆う閉位置に移動可能なガード壁を有し、上記主壁は、上記ガード壁が閉位置にあるときに、刃が上記主壁と上記ガード壁の間に介在するように上記刃を保持するための手段を有することを特徴とする万能ナイフ。
【請求項２２】
上記刃ホルダは、後端部と前端部を有し、上記前端部は、上記ガード壁と上記主壁からなり、上記後端部は、上記ハンドルに旋回可能に取り付けられ、上縁部と下縁部とを有する請求項２１に記載の万能ナイフ。
【請求項２３】
上記主壁と上記ガード壁に対して、開位置から上記主壁と上記ガード壁にかぶさる閉位置に旋回移動する、刃ロックアセンブリを設けた請求項２２に記載の万能ナイフ。
【請求項２４】
上記刃ロックアセンブリは、上記上縁部に隣接して上記後端部に旋回可能に取り付けられた請求項２３に記載の万能ナイフ。
【請求項２５】
上記刃ロックアセンブリは、上壁と一対の側壁を有するＵ字形クリップからなり、上記クリップがその閉位置にあるとき上記側壁は上記主壁と上記ガード壁をはさむように構成された請求項２４に記載の万能ナイフ。
【請求項２６】
上記クリップは、そこから延在する前方フィンガを有する請求項２５に記載の万能ナイフ。
【請求項２７】
上記後端部は、そこから延在するフィンガーノブを有する請求項２６に記載の万能ナイフ。
【請求項２８】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有する請求項２７に記載の万能ナイフ。
【請求項２９】
上記刃ホルダの上記後端部は、上記刃ホルダが展開状態にあるとき、上記ロックフィンガーを収容することができる溝を有する請求項２８に記載の万能ナイフ。
【請求項３０】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項２９に記載の万能ナイフ。
【請求項３１】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項３０に記載の万能ナイフ。
【請求項３２】
上記刃保持手段は、上記刃ホルダの上記主壁上に設けた一対の突起を有し、上記突起は刃に設けられた対応する溝にそれぞれ入り込むことができるようにされた請求項３１に記載の万能ナイフ。
【請求項３３】
上記ガード壁がその閉位置にあるとき、上記主壁上の定位置に上記ガード壁を保持するためのネジ手段を設けた請求項２２に記載の万能ナイフ。
【請求項３４】
上記ネジ手段は上記ガード壁から上記主壁に延在する請求項３３に記載の万能ナイフ。
【請求項３５】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有する請求項３４に記載の万能ナイフ。
【請求項３６】
上記刃ホルダの上記後端部は、上記刃ホルダが展開状態にあるとき、上記ロックフィンガーを収容することができる溝を有する請求項３５に記載の万能ナイフ。
【請求項３７】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項３６に記載の万能ナイフ。
【請求項３８】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項３７に記載の万能ナイフ。
【請求項３９】
上記刃保持手段は、上記刃ホルダの上記主壁上に設けた一対の突起を有し、上記突起は刃に設けられた対応する溝にそれぞれ入り込むことができるようにされた請求項３８に記載の万能ナイフ。
【請求項４０】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有する請求項２１に記載の万能ナイフ。
【請求項４１】
上記刃ホルダの上記後端部は、上記刃ホルダが展開状態にあるとき、上記ロックフィンガーを収容することができる溝を有する請求項４０に記載の万能ナイフ。
【請求項４２】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項４１に記載の万能ナイフ。
【請求項４３】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項４２に記載の万能ナイフ。
【請求項４４】
上記刃保持手段は、上記刃ホルダの上記主壁上に設けた一対の突起を有し、上記突起は刃に設けられた対応する溝にそれぞれ入り込むことができるようにされた請求項４３に記載の万能ナイフ。
【発明の詳細な説明】
【技術分野】
【０００１】
本発明は、万能ナイフ、特に、ナイフを使用しないときに、刃をハンドル内に折り畳むことができる、折り畳み可能な万能ナイフに関する。
【背景技術】
【０００２】
万能ナイフは、長年にわたり用いられてきた。用いられている万能ナイフのうちには、ナイフを使用しないときに、ハンドル内に折り畳み可能な刃ホルダに取り付けられた刃を有するものがある。しかしながら、このような万能ナイフのうちには、多数の可動部品を有するものがあり、このことは、ナイフを使用しにくくし、かつ、製造にかかる費用を高くする。さらに、このような万能ナイフのうちには、刃の交換が複雑な作業であり、特別な工具を必要とするものもある。
【発明の開示】
【発明が解決しようとする課題】
【０００３】
本発明の目的は、上記の問題を解決し、刃ホルダをハンドルの中に容易に折り畳むことができる改良された万能ナイフを提供することである。
【０００４】
本発明の別の目的は、刃が万能ナイフにしっかりと保持された、改良された万能ナイフを提供することである。
【０００５】
本発明の別の目的は、万能ナイフの刃を交換するための改良された手段が設けられた、改良された万能ナイフを提供することである。
【０００６】
本発明の別の目的は、使用が簡単で、製造と維持の費用が高くない、改良された万能ナイフを提供することである。
【０００７】
本発明のその他の及びさらなる目的は、以下に説明する実施例から明らかになり、また、特許請求の範囲に示される。さらに、当業者には、本発明を実施する際に、本文中に記載されていない種々の利点が生じるであろう。
【課題を解決するための手段】
【０００８】
本発明の一態様によれば、ハンドルと刃ホルダを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは主壁と、開位置から上記主壁を覆う閉位置に旋回可能に上記主壁に取り付けられたガード壁を有し、上記主壁は、上記ガード壁が閉位置にあるときに、刃が上記主壁と上記ガード壁の間に介在するように上記刃を保持するための手段を有することを特徴とする万能ナイフが得られる。
【０００９】
上記刃ホルダは、後端部と前端部を有し、上記前端部は、上記ガード壁と上記主壁からなり、上記後端部は、上記ハンドルに旋回可能に取り付けられ、上縁部と下縁部とを有してもよい。
【００１０】
上記ガード壁は、上記後端部の上記下縁部に隣接したピボット軸を支点として旋回可能に、上記主壁に取り付けられてもよい。
【００１１】
上記主壁と上記ガード壁に対して、開位置から上記主壁と上記ガード壁にかぶさる閉位置に旋回移動する、刃ロックアセンブリを設けてもよい。
【００１２】
上記刃ロックアセンブリは、上記上縁部に隣接して上記後端部に旋回可能に取り付けられてもよい。
【００１３】
上記刃ロックアセンブリは、上壁と一対の側壁を有するＵ字形クリップからなり、上記クリップがその閉位置にあるとき上記側壁は上記主壁と上記ガード壁をはさむように構成されてもよい。
【００１４】
上記クリップは、そこから延在する前方フィンガを有してもよい。
【００１５】
上記後端部は、そこから延在するフィンガーノブを有してもよい。
【００１６】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有してもよい。
【００１７】
上記刃ホルダの上記後端部は、上記刃ホルダが展開状態にあるとき、上記ロックフィンガーを収容することができる溝を有してもよい。
【００１８】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができるようにしてもよい。
【００１９】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができるようにしてもよい。
【００２０】
上記刃保持手段は、上記刃ホルダの上記主壁上に設けた一対の突起を有し、上記突起は刃に設けられた対応する溝にそれぞれ入り込むことができるようにされてもよい。
【００２１】
上記ガード壁がその閉位置にあるとき、上記主壁上の定位置に上記ガード壁を保持するためのネジ手段を設けてもよい。
【００２２】
上記ネジ手段は上記ガード壁から上記主壁に延在してもよい。
【００２３】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有してもよい。
【００２４】
上記刃ホルダの上記後端部は、上記刃ホルダが展開状態にあるとき、上記ロックフィンガーを収容することができる溝を有してもよい。
【００２５】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができるようにしてもよい。
【００２６】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができるようにしてもよい。
【００２７】
上記刃保持手段は、上記刃ホルダの上記主壁上に設けた一対の突起を有し、上記突起は刃に設けられた対応する溝にそれぞれ入り込むことができるようにされてもよい。
【００２８】
本発明の他の態様によれば、ハンドルと刃ホルダを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは主壁と、上記主壁に取り付けられ開位置から上記主壁を覆う閉位置に移動可能なガード壁を有し、上記主壁は、上記ガード壁が閉位置にあるときに、刃が上記主壁と上記ガード壁の間に介在するように上記刃を保持するための手段を有することを特徴とする万能ナイフが得られる。
【００２９】
上記刃ホルダは、後端部と前端部を有し、上記前端部は、上記ガード壁と上記主壁からなり、上記後端部は、上記ハンドルに旋回可能に取り付けられ、上縁部と下縁部とを有してもよい。
【００３０】
上記主壁と上記ガード壁に対して、開位置から上記主壁と上記ガード壁にかぶさる閉位置に旋回移動する、刃ロックアセンブリを設けてもよい。
【００３１】
上記刃ロックアセンブリは、上記上縁部に隣接して上記後端部に旋回可能に取り付けられてもよい。
【００３２】
上記刃ロックアセンブリは、上壁と一対の側壁を有するＵ字形クリップからなり、上記クリップがその閉位置にあるとき上記側壁は上記主壁と上記ガード壁をはさむように構成されてもよい。
【００３３】
上記クリップは、そこから延在する前方フィンガを有してもよい。
【００３４】
上記後端部は、そこから延在するフィンガーノブを有してもよい。
【００３５】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有してもよい。
【００３６】
上記刃ホルダの上記後端部は、上記刃ホルダが展開状態にあるとき、上記ロックフィンガーを収容することができる溝を有してもよい。
【００３７】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができるようにしてもよい。
【００３８】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができるようにしてもよい。
【００３９】
上記刃保持手段は、上記刃ホルダの上記主壁上に設けた一対の突起を有し、上記突起は刃に設けられた対応する溝にそれぞれ入り込むことができるようにされてもよい。
【００４０】
上記ガード壁がその閉位置にあるとき、上記主壁上の定位置に上記ガード壁を保持するためのネジ手段を設けてもよい。
【００４１】
上記ネジ手段は上記ガード壁から上記主壁に延在してもよい。
【００４２】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有してもよい。
【００４３】
上記刃ホルダの上記後端部は、上記刃ホルダが展開状態にあるとき、上記ロックフィンガーを収容することができる溝を有してもよい。
【００４４】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができるようにしてもよい。
【００４５】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができるようにしてもよい。
【００４６】
上記刃保持手段は、上記刃ホルダの上記主壁上に設けた一対の突起を有し、上記突起は刃に設けられた対応する溝にそれぞれ入り込むことができるようにされてもよい。
【００４７】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有してもよい。
【００４８】
上記刃ホルダの上記後端部は、上記刃ホルダが展開状態にあるとき、上記ロックフィンガーを収容することができる溝を有してもよい。
【００４９】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができるようにしてもよい。
【００５０】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができるようにしてもよい。
【００５１】
上記刃保持手段は、上記刃ホルダの上記主壁上に設けた一対の突起を有し、上記突起は刃に設けられた対応する溝にそれぞれ入り込むことができるようにされてもよい。
【発明の効果】
【００５２】
本発明によれば、刃ホルダをハンドル内に容易に折り畳むことができ、万能ナイフに刃を固定するための改良された手段ならびにナイフの刃を交換するための改良された手段を備えた、使用が簡単で製造と保持に高い費用のかからない、万能ナイフを提供することができる。
【発明を実施するための最良の形態】
【００５３】
以下、本発明の好ましい実施例について、図面を参照して説明する。
【００５４】
図面、特に、図１〜図７に示した好ましい実施例を参照すると、本発明の万能ナイフ１は、ハンドル２と刃ホルダ３を有する。
【００５５】
ハンドル２は、一対のハンドル半部２Ａと２Ｂからなり、各半部は、外側壁１１と、上縁部７と、下縁部９とを有する。後部スペーサ４がハンドル半部２Ａと２Ｂの間に設けられ、ハンドル半部２Ａと２Ｂを離間した状態に保つとともに、ハンドル半部２Ａと２Ｂの間に空間部５を形成している。スペーサ４と、ハンドル半部２Ａおよび２Ｂは、留め具６により一緒に保持され、この留め具６はスペーサ４とハンドル半部２Ａおよび２Ｂを貫通することによりこれらを一緒に保持する。ハンドル半部２Ａと２Ｂ（すなわちハンドル２）の上縁部７は、フィンガーノッチ８を有し、ハンドル半部２Ａと２Ｂ（すなわちハンドル２）の下縁部９は、ユーザの指がハンドル２を握れるように、波状に形成してもよい。所望に応じ、クリップ１０をハンドル半部２Ａおよび／または２Ｂの側壁１１に取り付けて、万能ナイフ１をユーザのベルトやその他の便利な場所などに固定することができるようにしてもよい。
【００５６】
ハンドル半部２Ａと２Ｂの間に介在して、且つ、ハンドル半部２Ａと２Ｂの上縁部７に沿って、ロックレバーアセンブリ１５（図３〜図５）が設けられ、このロックレバーアセンブリ１５は、ハンドル半部２Ａと２Ｂの間に、ピボットピン１６を支点として旋回可能に取り付けられている。このピボットピン１６は、２つのハンドル半部２Ａおよび２Ｂとロックレバーアセンブリ１５を通って延在する。ロックレバーアセンブリ１５は、前方アーム１７と後方アーム１８をそれぞれ有する２アームレバーである。前方アーム１７は、下方に延在するロックフィンガー１９を備える。ロックレバーアセンブリ１５の後方アーム１８の下には、スプリング１４（Ｖ字形あるいはＵ字形）が設けられ、このスプリング１４は、通常状態では、後方アーム１８の下縁部に押し当てられ、ピボットピン１６を支点として後方アーム１８を上方に、前方アーム１７を下方に付勢しており、したがって、後方アーム１８はノッチ８上に突出している。ロックレバーアセンブリ１５の後方アーム１８をスプリング１４の作用に抗してノッチ８を介して手指で押し下げると、前方アーム１７が上昇する。
【００５７】
本発明による刃ホルダ３は、互いに一体に形成された後端部３１と前端部３２を有する。
【００５８】
刃ホルダ３の後端部３１は、後縁部３１Ａと、下縁部３１Ｂと、上縁部３１Ｃを有する。刃ホルダ３は、ハンドル半部２Ａと２Ｂの間の空間部５内に、ピボットピン３０を支点として旋回可能に取り付けられている。フィンガーノブ４１を後端部３１に設けると、ハンドル２に対する刃ホルダ３の旋回運動を容易にすることができる。後端部３１の上縁部３１Ｃは溝３３を有し、刃ホルダ３がその延在状態すなわち展開状態にある時に、ロックアセンブリ１５の下方に延在するロックフィンガー１９がこの溝３３に入り込むようにされている。
【００５９】
刃ホルダ３の前端部３２は、薄い主壁３４と、主壁３４上にピボットピン３６を支点として旋回可能に取り付けられた薄いガード壁３５からなる。主壁３４は刃Ｂを保持することができ、刃Ｂは、下部切断縁部３７と、その上縁部３９に設けられた離隔したノッチ３８とを有する。主壁３４は、主壁３４から延在する離隔した一対の突起４０を有し、この突起４０に刃Ｂの上部ノッチ３８を嵌め込んで、刃Ｂを主壁３４の定位置に保持することができるようになっている。ガード壁３５が上昇閉位置にあるとき、ガード壁３５は刃Ｂを覆って刃Ｂを定位置に保持し、ガード壁３５が下方開位置にあるとき、刃Ｂを露出させる。
【００６０】
刃ロックアセンブリ４５が、刃ホルダ３の上縁部に沿って取り付けられ、刃ホルダ３の後端部３１に、ピボットピン４６を支点として旋回可能に取り付けられている。刃ロックアセンブリ４５はＵ字クリップ形状であり、分割すなわち分断された上壁４８と、上壁４８にぶら下がる一対の側壁４９と、前方に延在する前方フィンガータブ５０とを有する。刃ロックアセンブリすなわちクリップ４５をピボットピン４６を支点として下方に旋回させると、その側壁４９が刃ホルダ３の主壁３４とガード壁３５を挟み、上壁４８が主壁３４およびガード壁３５ならび刃Ｂの上にかぶさり、刃Ｂが定位置にロックされる。刃Ｂを取り外して交換したい場合、クリップ４５を上記フィンガータブ５０により上方に旋回させて、主壁３４およびガード壁３５と刃Ｂを解放する。これにより、ガード壁３５を刃Ｂから離れる方向に旋回させる（図６に示すように）ことが可能となるため、刃Ｂを露出させ、刃Ｂを取り外して交換することが可能となる。
【００６１】
図１〜図７の好ましい実施例に示された万能ナイフ１の操作に際しては、万能ナイフを、刃ホルダ３を折り畳まない展開操作状態にして、使用準備状態にする。刃Ｂは、刃Ｂの上縁部３９のノッチ３８まで延在する突起４０により、主壁３４に保持されている。ロックレバーアセンブリ１５の前方アーム１７に形成されたロックフィンガー１９は、後方アーム１８に作用するスプリング１４の圧力のために、下方位置にあり、刃ホルダ３に設けた溝３３内に位置づけられ、刃ホルダ３をその展開状態に保っている。ロックレバーアセンブリ１５の後方アーム１８はその上昇位置にあり、ハンドル２の上縁部７のフィンガーノッチ８上に突出している。
【００６２】
万能ナイフ１を折り畳んだ操作不能状態にしたい場合、ロックアセンブリ１５の後方アーム１８をスプリング１４の付勢力に抗してノッチ８を介して手指で押し下げる。これにより、ロックアセンブリ１５の前方アームを上昇させて、溝３３からロックフィンガー１９を抜き出して刃ホルダ３を解放し、刃ホルダ３をピボットピン３０を支点として下方に旋回させる（図４）。これは、フィンガーノブ（又はフィンガーグリップ）４１を押し下げることによって行ってもよい。次いで、刃ホルダ３を下方に旋回させ、ハンドル半部２Ａと２Ｂの間の空間部５内に完全に収容する（図５）。後方アーム１８に対する圧力が解除されると、スプリング１４は、スプリング１４の張力により、後方アーム１８を移動させて元の上昇位置に戻す。これにより、ロックフィンガー１９を刃ホルダ３の後縁部３１Ａと下縁部３１Ｂに押し当て、刃ホルダ３をその折り畳み状態に保持する。
【００６３】
刃Ｂを使用したい場合には、逆の手順をたどる。刃ホルダ３を反対方向に旋回させる。好ましくは、ロックレバーアセンブリ１５の後方アーム１８を再び手指で押し下げることで、刃ホルダ３の展開を支援する。刃ホルダ３を反時計方向に引き続き回転させると（図４に示すように）、前方アーム１７のロックフィンガー１９が刃ホルダ３の後端部３１に設けた溝３３に入り込み、刃ホルダ３をその延長状態に保つ。
【００６４】
刃Ｂを交換したい場合、刃ホルダ３をその展開状態にして（図６に示すように）、フィンガータブ５０によりピボットピン４６を支点としてクリップ４５を持ち上げる。これにより、ガード壁３５が解放され、ピボットピン３６を支点として下方にガード壁３５を旋回させ、刃Ｂを露出させる。そこで、刃Ｂを刃ホルダ３から取り出すことができ、ここに新しい刃Ｂを取り付けることができる。再び、ガード壁３５を上方に旋回させて刃Ｂを覆う位置に戻し、クリップ４５を下降させることにより刃Ｂと主壁３４およびガード壁３５を定位置にロックする。
【００６５】
図８〜図１１に示す万能ナイフ１の実施例を参照すると、本実施例は、図１〜図７に示した万能ナイフの実施例と同様のものであり、同様の部分には、同一の参照番号を付して示す。
【００６６】
全ての点で、本実施例の構造と動作は、図１〜図７に示した実施例と同様である。しかしながら、本実施例において、刃ホルダ３の旋回可能なガード壁３５は、ネジ部材５５により定位置に保持される。このネジ部材５５は、旋回可能なガード壁３５を開口部５７において貫通し、開口部５６において主壁３４内に延在する。刃Ｂを取り外したい場合、ネジ部材５５を取り外して、ガード壁３５をピボットピン３６を支点として下方に回転させ刃Ｂを露出させると、この刃を取り外して、交換することができる。刃Ｂを交換した後、ガード壁３５をピボットピン３６を支点として上方に回転させて刃Ｂを覆う動作位置に戻す。ネジ部材５５を、再び、開口部５７−５６を貫通して取り付ければ、ガード壁３５と刃Ｂを定位置に保持することができる。
【００６７】
なお、本発明は上記の実施例に限定されるものではなく、請求項の範囲を逸脱することなく種々の変形が可能であることは、当業者であれば明らかであろう。
【図面の簡単な説明】
【００６８】
【図１】本発明による万能ナイフの斜視図である。
【図２】図１に示す万能ナイフの平面図である。
【図３】図１の線３−３に沿った断面図である。
【図４】部分的に折り畳んだ状態における万能ナイフを示す、図３と同様な断面図である。
【図５】完全に折り畳んだ状態における万能ナイフを示す、図３と同様な断面図である。
【図６】刃を取り外して交換する方法を示す、万能ナイフの側面図である。
【図７】万能ナイフの反対側の側面図である。
【図８】本発明による万能ナイフの変形の斜視図である。
【図９】図８に示す万能ナイフの平面図である。
【図１０】刃を取り外す方法を示す、万能ナイフの側面図である。
【図１１】ナイフの反対側の側面図である。
【符号の説明】
【００６９】
１  万能ナイフ
２  ハンドル
２Ａ、２Ｂ  ハンドル半部
３  刃ホルダ
４  後部スペーサ
５  空間部
６  留め具
７  上縁部
８  ノッチ
９  下縁部
１０  クリップ
１１  外側壁
１４  スプリング
１５  ロックレバーアセンブリ
１６  ピボットピン
１７  前方アーム
１８  後方アーム
１９  ロックフィンガー
３０  ピボットピン
３１  後端部
３１Ａ  後縁部
３１Ｂ  下縁部
３１Ｃ  上縁部
３２  前端部
３３  溝
３４  主壁
３５  ガード壁
３６  ピボットピン
３７  切断縁部
３８  ノッチ
３９  上縁部
４０  突起
４１  フィンガーノブ
４５  刃ロックアセンブリ
４６  ピボットピン
４８  上壁
４９  側壁
５０  前方フィンガータブ
５５  ネジ部材
５６、５７  開口部
Ｂ  刃
【図１】
2004337610.tif 000003
【図２】
2004337610.tif 000004
【図３】
2004337610.tif 000005
【図４】
2004337610.tif 000006
【図５】
2004337610.tif 000007
【図６】
2004337610.tif 000008
【図７】
2004337610.tif 000009
【図８】
2004337610.tif 000010
【図９】
2004337610.tif 000011
【図１０】
2004337610.tif 000012
【図１１】
2004337610.tif 000013